(57)【要約】【課題】多数の展示物の中から所望の展示物を効率的に探索し、連動してそのプレゼンテーションを説明員が実際の展示会場において行なうように受けることができるバーチャル展示システムを提供する。【解決手段】展示会場および展示物に関する記憶情報に基づいて生成しディスプレイに表示した展示画像の前記生成の形態を変化させながら展示物を探索する探索手段と、前記探索において指定した展示物のプレゼンテーションをプレゼンテータの動画音声によってディスプレイに表示するプレゼンテータ表示手段と、前記展示物のプレゼンテーションを前記動画音声に同期するＤＴＰＲ画像によってディスプレイに表示するＤＴＰＲ画像表示手段とを具備するようにしたバーチャル展示システム。【選択図】  図４
2004234054.tif 000002
【特許請求の範囲】
【請求項１】
実際の展示会を想起させる表示をディスプレイにおいて行なうバーチャル展示会システムであって、
展示会場および展示物に関する記憶情報に基づいて生成しディスプレイに表示した展示画像の前記生成の形態を変化させながら展示物を探索する探索手段と、
前記探索において指定した展示物のプレゼンテーションをプレゼンテータの動画音声によってディスプレイに表示するプレゼンテータ表示手段と、
前記展示物のプレゼンテーションを前記動画音声に同期するＤＴＰＲ画像によってディスプレイに表示するＤＴＰＲ画像表示手段と、
を具備することを特徴とするバーチャル展示会システム。
【請求項２】
請求項１記載のバーチャル展示会システムにおいて、前記探索および前記展示物の指定を含むバーチャル展示会システムの操作に関するログ情報を記憶するログ情報記憶手段を具備することを特徴とするバーチャル展示会システム。
【請求項３】
請求項１または２記載のバーチャル展示会システムにおいて、前記展示物のドキュメントを印刷出力するドキュメント出力手段を具備することを特徴とするバーチャル展示会システム。
【請求項４】
請求項１〜３のいずれかに記載のバーチャル展示会システムにおいて、展示会場および展示物に関する前記記憶情報の新規追加、編集、削除を行なう展示情報管理手段を具備することを特徴とするバーチャル展示会システム。
【請求項５】
請求項１〜４のいずれかに記載のバーチャル展示会システムにおいて、前記生成の形態の変化は、前記展示会場の広域画像から狭域画像へとまたは狭域画像から広域画像へと前記展示画像を変化させるとともに、前記広域画像においては展示ゾーン、展示コーナ、等の広域名称を、また狭域画像においては展示パネル、展示物、等の狭域名称を対応箇所に合成する生成の形態の変化であることを特徴とするバーチャル展示会システム。
【請求項６】
請求項１〜５のいずれかに記載のバーチャル展示会システムにおいて、前記生成の形態の変化は、前記展示会場を回遊したときに観る画像に展示画像を変化させるとともに、展示ゾーン、展示コーナ、展示パネル、展示物、等の名称を対応箇所に合成する生成の形態の変化であることを特徴とするバーチャル展示会システム。
【請求項７】
請求項１〜６のいずれかに記載のバーチャル展示会システムにおいて、前記探索手段は、前記展示画像における展示ゾーン、展示コーナ、展示パネル、展示物、または全展示会場、等の前記名称を指示することによりその指示した名称に対応する展示画像に前記生成の形態を変化させることを特徴とするバーチャル展示会システム。
【発明の詳細な説明】
【０００１】
【発明の属する技術分野】
本発明は、小人数のスタッフと狭い空間において、来場者に巨大展示会場を想起させるバーチャル展示会システムの技術分野に属する。
【０００２】
【従来技術】
丁寧な説明を必要とする展示物が多数あるときには、それに応じた広い展示会場を設営し、説明員も大人数を配置し、大規模な展示会として開催が行なわれている。このような大規模な展示会は、展示会場を設営する初期費用が極めて高額となる上に、開催日数に応じて積算される会場使用料、人件費、等の変動費用も高額となる。そのため、展示会を長期間に渡って開催し続けることが困難である。また、展示の内容や方法の変更は展示物や展示パネル、等の物理的な入れ替えを伴うため負荷の大きい作業となる。
【０００３】
一方、３次元コンピュータグラフィックスにおける描画技術の急速な発展にともなって、仮想空間を適用する提案がある（たとえば特許文献１）。この提案では、三次元座標系で物体の位置や形状が定義された空間を、特定の視点から眺めたときの光景をディスプレイに表示する。特定の視点の位置は操作者の操作または行動によって変更することができ。これにより、ディスプレイを見ている者（操作者と同じでもよい）は、定義された空間を移動したかのような印象を受ける。定義された空間が展示会場であれば、仮想（バーチャル）展示会場が実現することになる。
【０００４】
【特許文献１】
特開平９−９７３４９号公報
【０００５】
【発明が解決しようとする課題】
ところが、従来の仮想展示会場の提案においては、大規模な展示会場に展示された多数の展示物の中から所望の展示物を効率的に探索することができない。また、探索によって興味を持った展示物のプレゼンテーションを探索に連動して受けることができない。また、プレゼンテーションも説明員が実際の展示会場において行なうようにはできないし、プレゼンテーションにおいて効率的に正確な内容を伝達することが困難である。
【０００６】
本発明はこのような課題を解決するためになされたものであり、その目的は、多数の展示物の中から所望の展示物を効率的に探索することができ、探索によって興味を持った展示物のプレゼンテーションを探索に連動して受けることができ、プレゼンテーションも説明員が実際の展示会場において行なうようにでき、さらにプレゼンテーションにおいて効率的に正確な内容を伝達することができるバーチャル展示システムを提供することにある。
【０００７】
【課題を解決するための手段】
上記課題は下記の本発明によって解決される。すなわち、
本発明の請求項１に係るバーチャル展示会システムは、実際の展示会を想起させる表示をディスプレイにおいて行なうバーチャル展示会システムであって、展示会場および展示物に関する記憶情報に基づいて生成しディスプレイに表示した展示画像の前記生成の形態を変化させながら展示物を探索する探索手段と、前記探索において指定した展示物のプレゼンテーションをプレゼンテータの動画音声によってディスプレイに表示するプレゼンテータ表示手段と、前記展示物のプレゼンテーションを前記動画音声に同期するＤＴＰＲ画像によってディスプレイに表示するＤＴＰＲ画像表示手段とを具備するようにしたものである。
【０００８】
本発明によれば、探索手段により展示会場および展示物に関する記憶情報に基づいて生成しディスプレイに表示した展示画像の前記生成の形態を変化させながら展示物が探索され、プレゼンテータ表示手段により前記探索において指定した展示物のプレゼンテーションがプレゼンテータの動画音声によってディスプレイに表示され、ＤＴＰＲ（ｄｅｓｋｔｏｐ  ｐｒｅｓｅｎｔａｔｉｏｎ）画像表示手段により前記展示物のプレゼンテーションが前記動画音声に同期するＤＴＰＲ画像によってディスプレイに表示される。したがって、多数の展示物の中から所望の展示物を効率的に探索することができ、探索によって興味を持った展示物のプレゼンテーションを探索に連動して受けることができ、プレゼンテーションも説明員が実際の展示会場において行なうようにでき、さらにプレゼンテーションにおいて効率的に正確な内容を伝達することができるバーチャル展示システムが提供される。上述の探索方法ではなく、周知のキーワード検索等では目的を持っている展示物については効率的な検索を行なうことが可能である。しかし、目的がはっきりしない場合（何か良い物がないか探している場合）には効率的でないし、探し当てることは困難である。本発明における探索方法は目的がはっきりしない場合であっても好適に利用することができる。
なお、ここで「展示会場および展示物」とは、展示会において一般的に存在するすべてのものを含んでいる。
【０００９】
また本発明の請求項２に係るバーチャル展示会システムは、請求項１に係るバーチャル展示会システムにおいて、前記探索および前記展示物の指定を含むバーチャル展示会システムの操作に関するログ情報を記憶するログ情報記憶手段を具備するようにしたものである。本発明によれば、ログ情報に基づいて、バーチャル展示会システムへの参加者、たとえば得意先、等が何に興味を持ったか、等の情報が得られる。
【００１０】
また本発明の請求項３に係るバーチャル展示会システムは、請求項１または２に係るバーチャル展示会システムにおいて、前記展示物のドキュメントを印刷出力するドキュメント出力手段を具備するようにしたものである。本発明によれば、ドキュメントとして展示物に関する情報が入手される。
【００１１】
また本発明の請求項４に係るバーチャル展示会システムは、請求項１〜３のいずれかに係るバーチャル展示会システムにおいて、展示会場および展示物に関する前記記憶情報の新規追加、編集、削除を行なう展示情報管理手段を具備するようにしたものである。本発明によれば、展示情報管理手段により展示会場および展示物に関する前記記憶情報の新規追加、編集、削除が行なわれる。
【００１２】
また本発明の請求項５に係るバーチャル展示会システムは、請求項１〜４のいずれかに係るバーチャル展示会システムにおいて、前記生成の形態の変化は、前記展示会場の広域画像から狭域画像へとまたは狭域画像から広域画像へと前記展示画像を変化させるとともに、前記広域画像においては展示ゾーン、展示コーナ、等の広域名称を、また狭域画像においては展示パネル、展示物、等の狭域名称を対応箇所に合成する生成の形態の変化であるようにしたものである。本発明によれば、展示会場の広域画像と狭域画像、および展示ゾーン、展示コーナ、展示パネル、展示物、等の名称に基づいて展示物の探索が動的かつ効率的に行なわれる。
【００１３】
また本発明の請求項６に係るバーチャル展示会システムは、請求項１〜５のいずれかに係るバーチャル展示会システムにおいて、前記生成の形態の変化は、前記展示会場を回遊したときに観る画像に展示画像を変化させるとともに、展示ゾーン、展示コーナ、展示パネル、展示物、等の名称を対応箇所に合成する生成の形態の変化であるようにしたものである。本発明によれば、展示会場を回遊したときに観る画像に展示画像が変化し、その対応箇所には展示ゾーン、展示コーナ、展示パネル、展示物、等の名称が合成されている。したがって、展示会場を回遊しているかのように展示物の探索が動的かつ効率的に行なわれる。
【００１４】
また本発明の請求項７に係るバーチャル展示会システムは、請求項１〜６のいずれかに係るバーチャル展示会システムにおいて、前記探索手段は、前記展示画像における展示ゾーン、展示コーナ、展示パネル、展示物、または全展示会場、等の前記名称を指示することによりその指示した名称に対応する展示画像に前記生成の形態を変化させるようにしたものである。本発明によれば、展示画像において指示した名称に対応する新しい展示画像がディスプレイに表示される。
【００１５】
【発明の実施の形態】
次に、本発明について実施の形態を説明する。バーチャル展示会システムの全体像や位置づけを判り易くするために、まず、その利用方法について図１、図２を参照して説明する。本発明のバーチャル展示会システムにおける特徴的な構成や動作については後述する。図１はバーチャル展示会システムに得意先を招待する過程を示すフロー図である。また、図２はバーチャル展示会システムにおけるプレゼンテーションの過程を示すフロー図である。
【００１６】
まず、図１のステップＳ１において、バーチャル展示会の利用予約を行なう。バーチャル展示会システムは、大規模な展示会場と同様の展示内容を持たせることができる。しかし、その展示会に同時に参加できる人数は、システムの規模、設置空間の広さに依存している（図３参照）。すなわち、バーチャル展示会システムを同時利用する者、またはグループの数には制限がある。したがって、バーチャル展示会システムを利用する部所（営業部、等）は管理する部所に利用を要請する。管理する部所はバーチャル展示会システムの既決のスケジュールとその新規の要請とを調整した上で、新規の利用予約を組み込んだ新規のスケジュールを作製する。
【００１７】
次に、ステップＳ２において、招待状を発行する。管理する部所はバーチャル展示会システムのスケジュールに基づいて適正な時期に招待状を発行し利用する部所に送付する。招待状は、たとえば、招待券と封筒から構成され、招待券には展示会の名称、招待者される側の会社名、氏名、招待年月日時、等が記載され、封筒には展示会の名称、「ご招待券在中」、等が記載されている。
【００１８】
次に、ステップＳ３において、利用する部所において、招待状の内容に誤りがないか否かを確認する。また、利用する部所からの挨拶状、展示会のパンフレット、等を招待状に同封する。展示会のパンフレットには、展示会場や展示物の説明とともにバーチャル展示会システムの説明も記載しておき、得意先が予備知識を得られるようにする。そして、利用する部所は、得意先を訪問し挨拶や説明を交えて招待状を手渡すか、得意先の宛名書きを行なった上で郵送する。
【００１９】
次に、ステップＳ４において、バーチャル展示会システムを管理する部所と利用する部所とで展示会に得意先を招待したときの準備を行なう。たとえば、プレゼンテーション内容の決定、個別の得意先に合わせて内容の一部を特化する、等の準備を行なう。
次に、ステップＳ５において、バーチャル展示会システムを管理する部所と利用する部所とが連携して当日のプレゼンテーションが実施される。
【００２０】
以上、バーチャル展示会システムに得意先を招待する過程について説明を行なった。次に、バーチャル展示会システムにおけるプレゼンテーションの過程について説明するが、その前に、バーチャル展示会システムが設置される一画、すなわち展示スクエアの構成について図３を参照して説明する。図３は展示スクエアの一例を示す平面図であり、この展示スクエアにおいては展示パネル、展示物の一例としてソリューションの展示が行なわれる。ここで、ソリューションとは、ビジネス等における問題解決のための手段（たとえば、ビジネスモデル）のことである。
【００２１】
図３において、３０は事務所、３１はコンテンツ収録簡易スタジオ、３２はプレゼンテーションルーム、３３はソリューション探索コーナ、３４はソリューション紹介コーナ、３５はデモンストレーションコーナである。
事務所３０は、バーチャル展示会システムを管理する部所のすべて、または一部、等の展示スクエアに直接係わる仕事をする者の事務所である。
【００２２】
コンテンツ収録簡易スタジオ３１は、展示スクエアにおけるコンテンツ（動画・音声、ＤＴＰＲ、展示パネル、等）の一部を制作するスタジオである。
プレゼンテーションルーム３２は、主旨、コンセプト、テーマ、等、展示会の包括的内容を紹介するルームである。また、プレゼンテーションの最後に商談も行なわれる。
【００２３】
ソリューション探索コーナ３３は、バーチャル展示会場を回遊する等の形態で、来場者（得意先、等）自身に多様なソリューション（展示物の一例）の中から自分の課題に適合するソリューションを探し出すコーナである。このコーナには、バーチャル展示会システムにおいてソリューションを探索する部分（詳細を後述する）が設けられている。
【００２４】
ソリューション紹介コーナ３４は、探索により興味を抱いたソリューションの中から指定したソリューションについて、プレゼンテーションが行なわれるコーナである。このコーナには、バーチャル展示会システムにおいてソリューションをプレゼンテーションする部分（詳細を後述する）が設けられている。
【００２５】
デモンストレーションコーナ３５は、ソリューションの内容に応じた構成を有するコンピュータシステム等を使用してソリューションのデモンストレーションを行なうコーナである。
【００２６】
次に、バーチャル展示会システムが設置された上述の展示スクエアにおけるプレゼンテーションの過程について図２を参照して説明する。
まず、図２のステップＳ２０１において、招待券を持参した得意先をプレゼンテーションルーム３２に案内し、展示会の主旨を映像で紹介する。バーチャル展示会システムを管理する部所と利用する部所も同席する（以下同様）。バーチャル展示会システムまたは展示スクエアのスケジュールと招待券により来場した得意先が特定される。したがって、その得意先に特化したものが存在するときにはその特化した映像を紹介する（以下同様）。
【００２７】
次に、ステップＳ２０２において、得意先をソリューション探索コーナ３３に案内し、バーチャル展示会システムの簡単な説明を行なう。また、得意先が自分自身で操作できるように、操作方法についても説明を行なう。
【００２８】
次に、ステップＳ２０３において、ソリューションを探索するバーチャル展示会システムの部分を得意先が自分自身で操作し展示物を探索する（詳細を後述する）。そして、興味を持ったいくつかのソリューションについてドキュメント（ソリューションの資料）を印刷する。また、次のステップで紹介を受けようとするソリューションを指定する。
【００２９】
次に、ステップＳ２０４において、得意先をソリューション紹介コーナ３４に案内し、その指定したソリューション（展示物の一例）についてのプレゼンテーションを行なう。このプレゼンテーションはソリューションをプレゼンテーションするバーチャル展示会システムの部分によって行なわれる（詳細を後述する）。
次に、ステップＳ２０５において、得意先と同席している営業担当者（バーチャル展示会システムを利用する部所）による補足説明を行なう。
【００３０】
次に、ステップＳ２０６において、得意先をデモンストレーションコーナ３５に案内しソリューションのデモンストレーションを行なう。デモンストレーションコーナ３５には、ソリューションを実行するコンピュータシステムが設置されており、このコンピュータシステムの立ち上げはステップＳ２０４のプレゼンテーションに連動して行なわれる。
次に、ステップＳ２０７において、得意先をプレゼンテーションルーム３２に案内し商談を行なう。
【００３１】
以上、バーチャル展示会システムの全体像や位置づけを判り易くするために、その利用方法を中心に説明した。次に、本発明のバーチャル展示会システムにおける特徴的な構成や動作について説明する。本発明のバーチャル展示会システムにおける構成の一例を図４に示す。図４において、１はコンピュータ本体、２はキーボード、３はマウス、４はジョイステック、５は第４ディスプレイ、６はカラープリンタ、７は展示会場・展示物情報記憶部、８は展示画面出力部、９は第１ディスプレイ、１０は動画・音声情報記憶部、１１は動画・音声出力部、１２は第２ディスプレイ、１３は第１スピーカ、１４は第２スピーカ、１５はＤＴＰＲ情報記憶部、１６はＤＴＰＲ出力部、１７は第３ディスプレイ、１８はドキュメント情報記憶部、１９はログ情報記憶部である。
【００３２】
コンピュータ本体１は、バーチャル展示会システムにおいて情報処理を行なう部分である。パーソナルコンピュータ、専用画像処理装置（２Ｄ，３Ｄビデオカード、３Ｄグラフィックカード、ＤＶＤ録画再生カード、等）、等のハードウェア、およびＯＳ（ｏｐｅｒａｔｉｎｇ  ｓｙｓｔｅｍ）、バーチャル展示会システムを実行するアプリケーション、等のソフトウェア、によって構成される。
【００３３】
コンピュータ本体１は、１台の装置で構成される必要性はなく、複数台の装置が協調した動作を行なう構成とすることができる。また、すくなくともその１台には、キーボード２、マウス３、ジョイスティック４、操作画面を表示する第４ディスプレイ５、カラープリンタ６、等の入出力端末を付属させ、バーチャル展示会システムの操作をオペレータが行なえるように構成する。
【００３４】
コンピュータ本体１のアプリケーション（ソフトウェア）としては、展示会場および展示物に関する記憶情報に基づいて生成しディスプレイに表示した展示画像の前記生成の形態を変化させながら展示物を探索する探索アプリケーションを有する。
その生成の形態の変化としては、展示会場の広域画像から狭域画像へとまたは狭域画像から広域画像へと展示画像を変化させるとともに、広域画像においては展示ゾーン、展示コーナ、等の広域名称を、また狭域画像においては展示パネル、展示物、等の狭域名称を対応箇所に合成する生成の形態の変化が含まれている。
【００３５】
また、生成の形態の変化としては、展示会場を回遊したときに観る画像に展示画像を変化させるとともに、展示ゾーン、展示コーナ、展示パネル、展示物、等の名称を対応箇所に合成する生成の形態の変化が含まれている。
また、探索アプリケーションは、展示画像における展示ゾーン、展示コーナ、展示パネル、展示物、または全展示会場、等の名称を指示する入力があったときには、その指示した名称に対応する展示画像に生成の形態を変化させる処理を行なう。
【００３６】
コンピュータ本体１のその他のアプリケーションとしては、探索において指定した展示物のプレゼンテーションをプレゼンテータの動画音声によってディスプレイに表示するプレゼンテータ表示アプリケーションを有する。
また、展示物のプレゼンテーションを動画音声に同期するＤＴＰＲ画像によってディスプレイに表示するＤＴＰＲ画像表示アプリケーションを有する。
また、展示物のドキュメントを印刷出力するドキュメント出力アプリケーションを有する。
【００３７】
また、探索および展示物の指定を含むバーチャル展示会システムの操作に関するログ情報を収集して記憶するするログ情報収集アプリケーションを有する。
また、バーチャル展示会システムにおける展示会場および展示物に関する記憶情報の新規追加、編集、削除を行なう展示情報管理アプリケーションを有する。
【００３８】
展示会場・展示物情報記憶部７は、展示会場と展示物に関する情報を記憶するハードディスク等の記憶装置である。展示会場と展示物に関する情報は、２Ｄ，３Ｄ（２次元、３次元）の画像を生成するための素材情報（プリミティブ）、それらの素材情報の各々に付随する属性情報、等によって構成される。展示会場と展示物に関する情報は、コンピュータ本体１によってコンピュータグラフィックス画像を含む画像として展示画像（図５〜図９参照）を生成するときに、その素材情報として適宜読み取られる。
【００３９】
展示画面出力部８は、展示会場・展示物情報記憶部７に記憶されている記憶情報に基づいてコンピュータ本体１が生成する展示画像をコンピュータ本体１の制御下において、第１ディスプレイ９に出力する出力装置である。展示画面出力部８は、コンピュータ本体１に内蔵したグラフィックカード（２Ｄ，３Ｄビデオカード、等）、を適用することができる。また、コンピュータ本体１と協調して２Ｄ，３Ｄコンピュータグラフィック画像を含む展示画像を生成する専用画像処理装置を適用することができる。
第１ディスプレイ９としては、たとえば、５０インチ以上の大型スクリーンを有するディスプレイを適用し、第２ディスプレイ１２、第３ディスプレイ１７の上方に設置する。
【００４０】
動画・音声情報記憶部１０は、動画と音声に関する情報を記憶するハードディスク、ＤＶＤ（ｄｉｇｉｔａｌ  ｖｉｄｅｏ  ｄｉｓｋ）、等の記憶装置である。バーチャル展示会システムにおいては、すくなくとも展示物のプレゼンテーションをプレゼンテータの動画（図９左画面参照）と音声によってディスプレイに表示するときのビデオ映像が動画・音声情報記憶部１０に記憶される。動画・音声情報記憶部１０には、内容、情景の異なる複数の映像が記憶され、コンピュータ本体１の制御下において複数の映像の中の任意の映像をランダムアクセス再生することができる。
【００４１】
動画・音声出力部１１は、動画・音声情報記憶部１０に記憶されている記憶情報をコンピュータ本体１の制御下において、動画を第２ディスプレイ１２に、音声を第１スピーカ１３と第２スピーカ１４に出力する出力装置である。動画・音声出力部１１は、コンピュータ制御機能を有する独立したＤＶＤ録画再生装置、または、コンピュータ本体１に内蔵したＤＶＤ録画再生カードを適用することができる。
第２ディスプレイ１２としては、たとえば、５０インチ以上の大型スクリーンを有するディスプレイを適用し、第３ディスプレイ１７と横方向に密着配列し２面スクリーンとし（図１０参照）、第１ディスプレイ９の下方に設置する。
【００４２】
ＤＴＰＲ情報記憶部１５は、ＤＴＰＲ（ｄｅｓｋｔｏｐ  ｐｒｅｓｅｎｔａｔｉｏｎ）に関する情報を記憶するハードディスク等の記憶装置である。ＤＴＰＲはＯＨＰ（ｏｖｅｒ  ｈｅａｄ  ｐｒｏｊｅｃｔｏｒ）やスライドなどの資料を利用したプレゼンテーションと同様の機能をコンピュータソフトウェアで実現するものである。ＤＴＰＲ情報記憶部１５は、前もって作製した文字、グラフィックス（画像）、アニメーションや動画等を含むスライド、等のＤＴＰＲ情報（図１０右画面参照）を記憶する。そして、ＤＴＰＲ情報は、コンピュータ本体１の制御下において次々に表示のために読み出される。その表示は、バーチャル展示会システムにおいては、プレゼンテータが動画と音声によってプレゼンテーションするストーリーに連動した表示となる。
【００４３】
ＤＴＰＲ出力部１６は、ＤＴＰＲ情報記憶部１５に記憶されている記憶情報をコンピュータ本体１の制御下において、第３ディスプレイ１７に出力する出力装置である。ＤＴＰＲ出力部１６は、コンピュータ本体１に内蔵したグラフィックメモリカード（２Ｄビデオカード、等）を適用することができる。
第３ディスプレイ１７としては、たとえば、５０インチ以上の大型スクリーンを有するディスプレイを適用し、第２ディスプレイ１２と横方向に密着配列し２面スクリーンとし（図１０参照）、第１ディスプレイ９の下方に設置する。
【００４４】
ドキュメント情報記憶部１８は、展示物、展示会、等に関する資料、パンフレット、等のドキュメント情報を記憶するハードディスク等の記憶装置である。コンピュータ本体１に対して特定のドキュメントを印刷する指示入力なされると、コンピュータ本体１はそのドキュメント情報をドキュメント情報記憶部１８から入力し印刷形式のデータに変換しカラープリンタ６に出力する。カラープリンタ６はそのドキュメントを印刷出力する（図２Ｓ２０３参照）。ドキュメント情報は、たとえば、ＰＤＦ（ｐｏｒｔａｂｌｅ  ｄｏｃｕｍｅｎｔ  ｆｏｒｍａｔ）文書ファイルの形式で記憶が行なわれる。
【００４５】
ログ情報記憶部１９は、探索および展示物の指定を含むバーチャル展示会システムの操作に関するログ情報を記憶するハードディスク等の記憶装置である。ログ情報に基づいて、バーチャル展示会システムへの参加者、たとえば得意先、等が何に興味を持ったか、等の情報を得ることができる。
【００４６】
以上、本発明のバーチャル展示会システムにおける構成の一例を説明した。次に、上述の構成において動作の一例を説明する。
システムを立ち上げる等の処理が済み準備の整ったバーチャル展示会システムにおいて、展示物を探索するモードを選択する（図２Ｓ２０３参照）。これによりコンピュータ本体１において、探索アプリケーションが起動する。探索アプリケーションは、展示会場および展示物に関する記憶情報に基づいて生成しディスプレイに表示した展示画像の生成の形態を変化させながら展示物を探索するアプリケーションである。
【００４７】
展示物を探索するモードにおける展示会場の全体像を示す展示画面、すなわち展示会場の広域画面の一例を図５に示す。この展示画面は第１ディスプレイ９に表示される。図５に示すように、展示会場は複数の展示ゾーンに区分されている。この一例では、業務効率化ソリューション、業種業界向けソリューション、ｅビジネスソリューション、ＣＲＭソリューション、セキュリティーソリューションの５つの展示ゾーンが示されている。
【００４８】
これらの展示ゾーンはさらに複数の展示コーナーに区分されている。たとえば、業務効率化ソリューションの展示ゾーンにおいては、知的財産権支援、研修部門、広報部門、生産・物流部門、業務支援の５つの展示コーナーが示されている。すなわち、展示会場は複数の展示ゾーンから構成され、各々の展示ゾーンは複数の展示コーナーから構成される。そして、各々の展示ゾーン、各々の展示コーナーには、各々の名称に合致する展示物が含まれるようになっている。
【００４９】
このような階層構造において、上位の階層を示す展示画面においては２つ下の階層を示す名称または記述が含まれている。図５に示す一例においては、展示会場の全体像（第１階層）には、複数の展示ゾーンの名称（第２階層）が示され、各々の展示ゾーンには複数の展示コーナーの名称（第３階層）が示される。このように展示画面を構成することにより、展示会場については展示ゾーンの名称によって理解することができ、展示ゾーンについては展示コーナーの名称によって理解することができる。
【００５０】
展示ゾーンの１つをマウス３またはジョイステック４を用いてポインターで指示しそのボタンをクリックする等により選択すると、その展示ゾーンを示す展示画面、すなわち展示会場の全体像を示す展示画面に対しては、狭域画面が表示される。また、展示コーナーの１つをマウス３またはジョイスティック４を用いて選択しそのボタンをクリックする等により指示すると、その展示コーナーを示す展示画面、すなわち展示ゾーンを示す展示画面に対しては、狭域画面が表示される。さらに、展示パネルを示す展示画面、展示物を示す展示画面へとより狭域画面へと第１ディスプレイ９の表示を移行することができる。
【００５１】
またそれとは逆に、展示物を示す展示画面、展示パネルを示す展示画面、展示コーナーを示す展示画面、展示会場を示す展示画面へとより広域画面へと同様の操作で第１ディスプレイ９の表示を移行することができる。
【００５２】
このように、バーチャル展示会システムにおける展示物を探索するモードにおいて、展示画像の生成における形態の変化は展示会場の広域画像から狭域画像へとまたは狭域画像から広域画像へと展示画像を変化させるとともに、広域画像においては展示ゾーン、展示コーナ、等の広域名称を、また狭域画像においては展示パネル、展示物、等の狭域名称を対応箇所に合成する処理が行なわれる。そして、展示画像における展示ゾーン、展示コーナ、展示パネル、展示物、または全展示会場、等の前記名称を指示することによりその指示した名称に対応する展示画像に生成の形態を変化させる処理が行なわれる。
【００５３】
以上、展示物を探索するモードにおける動作の一例を示した。次に、同じモードにおける別の動作の一例を説明する。
システムを立ち上げる等の処理が済み準備の整ったバーチャル展示会システムにおいて、展示物を探索するモードを選択する（図２Ｓ２０３参照）。これによりコンピュータ本体１において、探索アプリケーションが起動する。展示物を探索するモードにおける展示会場を含む地域を示す展示画面、すなわち展示会場の広域画面の一例を図６に示す。この展示画面は第１ディスプレイ９に表示される。
【００５４】
図６に示すように、展示会場を含む地域６１が立体的な地図として示されている。また、展示画面には、展示会場を含む地域６１における現在位置の近傍を拡大するとともに、対象物、等を模式的に示す現在位置表示レーダ６２が表示される。現在位置表示レーダ６２に示す円と十字を組合せたマーク（照準）の中心が現在位置である。また、矩形で示されている複数の図形は展示ゾーンの存在位置を示している。また、展示会場を含む地域６１における現在位置を示すポインタ６３が表示される。ポインタ６３は現在位置表示レーダ６２と同様の円と十字を組合せたマーク（照準）で示し、一体のものであることを判り易くしている。
【００５５】
ポインタ６３は、ジョイスティック４（図４参照）を操作することにより展示画面における位置を変えることができる。それに連動して現在位置表示レーダ６２に表示される画像、すなわち現在位置の近傍を拡大するとともに、対象物、等を模式的に示す画像も位置整合するように変化する。図６においては、現在位置表示レーダ６２において示す展示ゾーン（矩形）はマーク（照準）の中心から外れている。このマーク（照準）の中心を展示ゾーン（矩形）の位置にジョイスティック４を操作して一致させる。
【００５６】
現在位置表示レーダ６２において展示ゾーン（矩形）とマーク（照準）の中心とを一致させたときの展示画面を図７に示す。図７に示すように、展示ゾーンを説明するウィンドウである展示ゾーン説明７１が表示される。展示ゾーン説明７１には、たとえば、ｅビジネスソリューションの展示ゾーンであれば、その展示ゾーンを説明する記述が表示される。または、その展示ゾーンに属する、ｅビジネス開発、ｅコマースビジネス、デジタルコンテンツビジネス、ｅビジネス運営、Ｗｅｂソリューションの６つの展示コーナーの名称（図５参照）が表示される。
【００５７】
この展示画面でジョイスティック４の第１ボタン（図示せず）を押し続けると展示画面における展示会場を含む地域６１の画像がズームインして拡大画像、すなわち展示会場の狭域画像となる。第１ボタン（図示せず）を離すとその時の拡大画像に展示会場を含む地域６１の画像が固定される。逆に、拡大画像が表示されている展示画面でジョイスティック４の第２ボタン（図示せず）を押し続けると展示画面における展示会場を含む地域６１の画像がズームアウトして拡大画像、すなわち展示会場の広域画像となる。
【００５８】
展示画面の狭域画像においては、広域画像と比較してより詳細な展示会場等の情景がその画像に含まれている。たとえば、展示会場の全体を示す広域画像においては展示会場を構成する複数の建物（展示ゾーン）が示されるが、建物の全体を示す狭域画像においては、その建物に設けられた展示コーナーの情景が示される。また、展示コーナーの全体を示す狭域画像においては展示パネル、展示物の情景が示される。このように展示画面は、前述の名称または記述における階層構造と同様であって、情景における階層構造を有する。
【００５９】、
このように展示ゾーンのズームインを続けると、展示画面は、その展示ゾーンを３Ｄコンピュータグラフィックス、等の画像で表示する展示画面に自動移行する。展示ゾーンの３Ｄコンピュータグラフィックス画像の一例を図８に示す。図８に示すように、展示ゾーン８１を特定の視点から観たときに目に映る画像であり、この画像は第１ディスプレイ９に表示される。この一例では、展示ゾーン８１の全体および展示コーナー８２の存在が判り易いよう透視図として表示される。ジョイスティック４を操作することにより来場者が回遊するように視点を移動することができる。また、ズームイン、ズームアウトを行なうことができる。
【００６０】
この展示画面には、展示ゾーン、展示コーナ、展示パネル、展示物、等の名称が対応箇所に合成されている。それらの名称または画像を、マウス３またはジョイスティック４を用いてポインターで指示しそのボタンをクリックする等により選択すると、それを示す展示画面が表示される。図８においては、特定の展示コーナ８２を選択することにより、その展示コーナー８２の表示色が選択されたことを示す色に変化する様子が示されている。
【００６１】
展示コーナ８２を選択すると、若干の時間を置いて、その展示コーナー８２を説明する動画、等を表示する。それが終了すると、ドキュメントをプリント出力する指示（印刷指示）、またはプレゼンテーションを開始する指示（プレゼンテーション指示）、または展示コーナ８２の選択をキャンセルする指示（キャンセル指示）のいずれかを指示し選択する画面に移行する。
【００６２】
図９は展示コーナーに展示されているソリューション（展示物）を一覧表示するとともに、どのようなプレゼンテーションを行なうかを決定する画面の一例を示す図である。図９に示すように、画面には、展示ゾーンの名称「ｅビジネスソリューション」、展示コーナの名称「ｅコマースビジネス」、展示パネル画像、担当者写真画像、展示物の名称「ＡＢＣ通販事業支援サービス、オンライン通販システム、オンラインショップ会員管理システム、・・・、等」とともに、動画アイコン１０１が配置されている。
【００６３】
図９において、利用者は、内容を知りたいソリューション（展示ゾーンの名称）をマウス３またはジョイスティック４を用いてポインターで指示しそのボタンをクリックする等により選択する。この一例では「ｅコマース・ビジネスプロセス・アウトソーシング」が選択されている。これにより、「ｅコマース・ビジネスプロセス・アウトソーシング」に関して、図９に示すように、左側に内容を説明する表示画像、すなわち展示パネル１０２と担当者の顔画像１０３、下側に説明文が表示される。
【００６４】
この図９に示す画面において、印刷指示を行なうと、バーチャル展示会システムは、展示コーナ８２の包括的説明、そのコーナーにおける展示物の説明、展示パネルに相当する説明、展示会・展示会場の説明、等が記載されたドキュメント（資料、パンフレット）をカラープリンターから印刷出力する（図２Ｓ２０３参照）。この一例では「ｅコマース・ビジネスプロセス・アウトソーシング」に関連したドキュメントが印刷される。
【００６５】
また、図９に示す画面において、キャンセル指示を行なうと、図８に示す展示ゾーンの画面に戻るとともに、特定の展示コーナ８２の選択が解除され、その展示コーナー８２の表示色は非選択を示す色または一度立ち寄ったことを示す色に変化する。そして、展示物を探索するモードに戻って、展示物の探索を再開することができる。
【００６６】
また、図９に示す画面において、プレゼンテーション指示を行なうと、探索するモード（図２Ｓ２０３参照）から、展示物についてプレゼンテーション（図２Ｓ２０３参照）するモードに移行する（図２Ｓ２０４参照）。たとえば、動画アイコン１０１を、マウス３またはジョイスティック４を用いてポインターで指示しそのボタンをクリックする等により選択すると、それを動画を表示するウィンドウが表示される。そのウィンドウにおいてプレゼンテータ画面が表示される。
【００６７】
その展示物についてプレゼンテーションするモードにおいて、展示コーナ８２の包括的説明、そのコーナーにおける展示物の説明、展示パネルに相当する説明、展示会・展示会場の説明、等が２つの方法を組合せたプレゼンテーションとして行なわれる。
【００６８】
第１の方法は、展示物のプレゼンテーションをプレゼンテータの動画音声によって第２ディスプレイ１２に表示する方法である。この第１の方法においては、コンピュータ本体１は、動画・音声情報記憶部１０から対応する情報を入力して動画・音声出力部１１に出力する。動画・音声出力部１１は、その情報を入力し第２ディスプレイ１２に動画を、第１スピーカ１３と第２スピーカ１４に音声を出力する。
【００６９】
第２の方法は、展示物のプレゼンテーションをその動画・音声に同期するＤＴＰＲ画像によってディスプレイに表示する方法である。この第２の方法においては、コンピュータ本体１は、ＤＴＰＲ情報記憶部５から対応する情報を入力してＤＴＰＲ出力部１６に出力する。ＤＴＰＲ出力部１６は、その情報を入力し第３ディスプレイ１７にＤＴＰＲ画像を出力する。
【００７０】
この２つの方法を組合せたプレゼンテーションをディスプレイに表示するときの画面の一例を図１０に示す。図１０に示すように、２面スクリーン構成のディスプレイにおける左側をプレゼンテータ画面９１とし、右側をＤＴＰＲ画面９２とする。
なお、図１０に示すように２面スクリーン構成とせず、より簡易的な方法として１面スクリーンのディスプレイにおいて、領域を分離してもよい。
【００７１】
次に、バーチャル展示会システムを操作したときのログ情報を収集し記憶する動作について説明する。この動作は、コンピュータ本体１においてログ情報収集アプリケーションを立ち上げることによって開始し、その後は他のアプリケーションが動作しているときに、その背景で動作し続ける。ログ情報として記憶されるのは、操作やデータの送受信が行われた日時、行われた操作の内容、送受信されたデータの中身、等である。
【００７２】
それらのログ情報は、主として、バーチャル展示会システムへの参加者、たとえば得意先、等が何に興味を持ったか、等の情報を得るために使用される。したがって、このログ情報と得意先情報とが結び付けられる。得意先情報は、特定の得意先を招待してプレゼンテーションすることからログ情報と結び付けられる（図１参照）。
【００７３】
ログ情報の収集と記憶はそのような解析を行ない易いように行なわれる。たとえば、バーチャル展示会システムの操作において、立ち寄った展示ゾーン、展示コーナ、等の名称、そこで過ごした時間の積算値、ドキュメントを印刷出力した展示物の名称、プレゼンテーションを行った展示物の名称、等が収集され記憶される。
【００７４】
次に、バーチャル展示会システムにおける展示会場および展示物に関する記憶情報の新規追加、更新、削除、等を行なう動作について説明する。この動作は、コンピュータ本体１において展示情報管理アプリケーションを立ち上げることによって開始する。他のアプリケーションが動作しているときにも同時進行可能である。ただし、他のアプリケーションで使用中のファイル等に影響する変更を行なうことはできない（警告が表示される）。
【００７５】
展示情報管理アプリケーションを立ち上げると、新規追加、更新、削除、印刷、並び順入れ替え、終了の中から１つを選択する画面が第４ディスプレイ５に表示される。新規追加を選択すると新規追加画面が表示される。新規追加画面には、複数の入力欄が表示される。その入力欄としては、展示ゾーン名称、展示コーナー名称、展示物名称、説明文１、説明文２、等であり、その欄に文字列を直接入力する。また、その入力欄としては、表示イメージ画像、表示動画音声、ドキュメント（ＰＤＦ文書ファイル）名称、等であり、その欄には、ファイル名を参照する等の操作により入力する。入力を完了すると展示物、等が新規追加される。
【００７６】
更新を選択すると、展示ゾーン名称、展示コーナー名称、展示物名称、等から更新する展示物を指定する画面が現れる。指定した展示物の更新は、前述の新規追加と同様の入力欄において行なう。
削除を選択すると、展示ゾーン名称、展示コーナー名称、展示物名称、等から削除する展示物を指定する画面が現れる。指定した展示物の削除は、画面おける削除ボタンを押すことによって行なう。
【００７７】
【発明の効果】
以上のとおりであるから、本発明の請求項１に係るバーチャル展示会システムによれば、多数の展示物の中から所望の展示物を効率的に探索することができ、探索によって興味を持った展示物のプレゼンテーションを探索に連動して受けることができ、プレゼンテーションも説明員が実際の展示会場において行なうようにでき、さらにプレゼンテーションにおいて効率的に正確な内容を伝達することができるバーチャル展示システムが提供される。
また本発明の請求項２に係るバーチャル展示会システムによれば、ログ情報に基づいて、バーチャル展示会システムへの参加者、たとえば得意先、等が何に興味を持ったか、等の情報を得ることができる。
また本発明の請求項３に係るバーチャル展示会システムによれば、ドキュメントとして展示物に関する情報を入手することができる。
また本発明の請求項４に係るバーチャル展示会システムによれば、展示情報管理手段により展示会場および展示物に関する前記記憶情報の新規追加、編集、削除を行なうことができる。
また本発明の請求項５に係るバーチャル展示会システムによれば、展示会場の広域画像と狭域画像、および展示ゾーン、展示コーナ、展示パネル、展示物、等の名称に基づいて展示物の探索を動的かつ効率的に行なうことができる。
また本発明の請求項６に係るバーチャル展示会システムによれば、展示会場を回遊しているかのように展示物の探索を動的かつ効率的に行なうことができる。
また本発明の請求項７に係るバーチャル展示会システムによれば、展示画像において指示した名称に対応する新しい展示画像をディスプレイに表示することができる。
【図面の簡単な説明】
【図１】バーチャル展示会システムに得意先を招待する過程を示すフロー図である。
【図２】バーチャル展示会システムにおけるプレゼンテーションの過程を示すフロー図である。
【図３】展示スクエアの一例を示す平面図である。
【図４】本発明のバーチャル展示会システムにおける構成の一例を示す図である。
【図５】展示会場の全体像を示す展示画面、すなわち展示会場の広域画面の一例を示す図である。
【図６】展示会場を含む地域を示す展示画面、すなわち展示会場の広域画面の一例を示す図である。
【図７】現在位置表示レーダにおいて展示ゾーン（矩形）とマーク（照準）の中心とを一致させたときの展示画面を示す図である。
【図８】展示ゾーンの３Ｄコンピュータグラフィックス画像の一例を示す図である。
【図９】展示コーナーに展示されているソリューション（展示物）を一覧表示するとともに、どのようなプレゼンテーションを行なうかを決定する画面の一例を示す図である。
【図１０】２つの方法を組合せたプレゼンテーションをディスプレイに表示するときの画面の一例を示す図である。
【符号の説明】
１  コンピュータ本体
２  キーボード
３  マウス
４  ジョイステック
５  第４ディスプレイ
６  カラープリンタ
７  展示会場・展示物情報記憶部
８  展示画面出力部
９  第１ディスプレイ
１０  動画・音声情報記憶部
１１  動画・音声出力部
１２  第２ディスプレイ
１３  第１スピーカ
１４  第２スピーカ
１５  ＤＴＰＲ情報記憶部
１６  ＤＴＰＲ出力部
１７  第３ディスプ
１８  ドキュメント情報記憶部
１９  ログ情報記憶部である
３０  事務所
３１  コンテンツ収録簡易スタジオ
３２  プレゼンテーションルーム
３３  ソリューション探索コーナー
３４  ソリューション紹介コーナー
３５  デモンストレーションコーナー
６１  展示会場を含む地域
６２  現在位置表示レーダ
６３  ポインタ
７１  展示ゾーン説明
８１  展示ゾーン
８２  展示コーナ
９１  プレゼンテーション画面
９２  ＤＴＰＲ画面
１０１  動画アイコン
１０２  展示パネル
１０３  顔写真
【図１】
2004234054.tif 000003
【図２】
2004234054.tif 000004
【図３】
2004234054.tif 000005
【図４】
2004234054.tif 000006
【図５】
2004234054.tif 000007
【図６】
2004234054.tif 000008
【図７】
2004234054.tif 000009
【図８】
2004234054.tif 000010
【図９】
2004234054.tif 000011
【図１０】
2004234054.tif 000012